(57)【要約】【課題】現金自動預払機の運用中に脱着された補充回収カセットの確定処理を可能にして、現金自動預払機の稼動効率を向上させる手段を提供する。【解決手段】硬貨入出金機１０に、補充回収カセット２１の着脱を検出する着脱検出部２３を設け、制御部１１が、着脱検出部２３により補充回収カセット２１の取外しを検出したときに、現金自動預払機１の主制御部２へ硬貨取扱中止通知を送信して硬貨の入出金を中止させ、着脱検出部２３により補充回収カセットの装着を検出したときに主制御部２へ確定処理指令送信要求を送信し、主制御部２から確定処理指令、または取引終了通知を受信したときに、補充回収カセット２１内の硬貨の確定処理を実行し、確定処理を終了したときに主制御部２へ硬貨取扱再開通知を送信して硬貨の入出金を再開させる。【選択図】        図２
2008217595.tif 000002
【特許請求の範囲】
【請求項１】
貨幣の補充および回収を行う補充回収カセットを着脱可能に装着した貨幣入出金機を備え、顧客との取引を自動で行う自動取引装置における貨幣処理制御システムおいて、
前記貨幣入出金機は、
前記補充回収カセットの着脱を検出する着脱検出手段と、
前記着脱検出手段により、補充回収カセットの取外しを検出したときに、前記自動取引装置へ貨幣取扱中止通知を送信する手段と、
前記着脱検出手段により、補充回収カセットの装着を検出したときに、前記自動取引装置へ確定処理指令送信要求を送信する手段と、
前記自動取引装置からの、確定処理指令の着信を待って待機する手段と、
該待機中に、前記自動取引装置から確定処理指令を受信したときに、前記補充回収カセット内の貨幣の確定処理を実行する手段と、
該待機中に、前記自動取引装置から取引終了通知を受信したときに、前記補充回収カセット内の貨幣の確定処理を実行する手段と、
前記確定処理を終了したときに、前記自動取引装置へ貨幣取扱再開通知を送信する手段と、を備え、
前記自動取引装置は、
前記貨幣入出金機からの、前記貨幣取扱中止通知を受信したときに、貨幣の入出金を中止する手段と、
前記貨幣入出金機からの、前記確定処理指令送信要求を受信する手段と、
該確定処理指令送信要求の受信後に、前記貨幣入出金機へ前記確定処理指令を送信する手段と、
該確定処理指令送信要求の受信後に、顧客との取引を終了したときに、前記貨幣入出金機へ前記取引終了通知を送信する手段と、
前記貨幣入出金機からの、前記貨幣取扱再開通知を受信したときに、貨幣の入出金を再開する手段と、を備えることを特徴とする貨幣処理制御システム。
【請求項２】
請求項１おいて、
前記自動取引装置は、
顧客との取引を開始したときに、前記貨幣入出金機へ取引開始通知を送信する手段を備え、
前記貨幣入出金機は、
前記確定処理中に、前記自動取引装置からの前記取引開始通知を受信したときに、前記確定処理を中断する手段と、
該中断中に、前記自動取引装置からの前記取引終了通知を受信したときに、前記確定処理を再開する手段と、を備えることを特徴とする貨幣処理制御システム。
【請求項３】
貨幣の補充および回収を行う補充回収カセットを着脱可能に装着した貨幣入出金機を備え、顧客との取引を自動で行う自動取引装置における貨幣処理制御システムおいて、
前記貨幣入出金機は、
前記補充回収カセットの着脱を検出する着脱検出手段と、
前記着脱検出手段により、補充回収カセットの装着を検出したときに、前記自動取引装置へ確定処理指令送信要求を送信する手段と、
前記自動取引装置から確定処理指令を受信したときに、前記補充回収カセット内の貨幣の確定処理を実行する手段と、
該確定処理中に、前記自動取引装置からの前記取引開始通知を受信したときに、前記確定処理を中断する手段と、
該中断中に、前記自動取引装置からの貨幣処理指令を受信したときに、前記確定処理を再開する手段と、
該再開した確定処理の終了後に、前記貨幣処理指令による貨幣処理を実行する手段と、を備え、
前記自動取引装置は、
前記貨幣入出金機からの、前記確定処理指令送信要求を受信する手段と、
該確定処理指令送信要求の受信後に、前記貨幣入出金機へ前記確定処理指令を送信する手段と、
顧客との取引中に、前記貨幣入出金機へ前記貨幣処理指令を送信する手段と、を備えることを特徴とする貨幣処理制御システム。
【発明の詳細な説明】
【技術分野】
【０００１】
本発明は、補充回収カセットを装着した貨幣入出金機を備え、顧客との取引を自動で行う現金自動預払機等の自動取引装置における貨幣処理制御システムに関する。
【背景技術】
【０００２】
従来の現金自動預払機における貨幣としての硬貨を取扱う貨幣処理制御システムは、金種別硬貨収納庫への硬貨の追加補充の場合に、補充用の硬貨を装填した補充回収カセットが硬貨入出金機に装着されると、補充回収カセット内に装填されている硬貨の金種別の枚数を確定するために、補充回収カセット内の未確定硬貨を分離部へ繰出し、分離部で１枚ずつに分離された硬貨を鑑別部で金種等を鑑別し、この鑑別結果に基づいて金種別硬貨収納庫に金種別に収納すると共に、金種別硬貨収納庫に収納しきれなかったオーバフロー硬貨を補充回収カセットに再度収納し、未確定硬貨の全てを鑑別、計数して補充回収カセット内の未確定硬貨の確定処理を行い、硬貨入出金機内の硬貨の有高を把握した後に現金自動預払機の運用を行っている（例えば、特許文献１参照。）。
【特許文献１】特開２００１−１９５６３１号公報（主に第３頁段落００１１、第４頁段落００２２−００２４、第１図）
【発明の開示】
【発明が解決しようとする課題】
【０００３】
しかしながら、上述した従来の技術においては、現金自動預払機の運用中に、硬貨の追加補充を行う場合に、補充回収カセットの装着後に、補充回収カセット内の未確定硬貨の確定処理を行い、その後に現金自動預払機の運用を開始しているため、補充回収カセット内の未確定硬貨の確定処理中は、現金自動預払機の運用を停止することが必要になり、現金自動預払機の稼動効率が低下するという問題がある。
【０００４】
本発明は、上記の問題点を解決するためになされたもので、自動取引装置の運用中における確定処理を可能にして、自動取引装置の稼動効率を向上させる手段を提供することを目的とする。
【課題を解決するための手段】
【０００５】
本発明は、上記課題を解決するために、貨幣の補充および回収を行う補充回収カセットを着脱可能に装着した貨幣入出金機を備え、顧客との取引を自動で行う自動取引装置における貨幣処理制御システムおいて、前記貨幣入出金機は、前記補充回収カセットの着脱を検出する着脱検出手段と、前記着脱検出手段により、補充回収カセットの取外しを検出したときに、前記自動取引装置へ貨幣取扱中止通知を送信する手段と、前記着脱検出手段により、補充回収カセットの装着を検出したときに、前記自動取引装置へ確定処理指令送信要求を送信する手段と、前記自動取引装置からの、確定処理指令の着信を待って待機する手段と、該待機中に、前記自動取引装置から確定処理指令を受信したときに、前記補充回収カセット内の貨幣の確定処理を実行する手段と、該待機中に、前記自動取引装置から取引終了通知を受信したときに、前記補充回収カセット内の貨幣の確定処理を実行する手段と、前記確定処理を終了したときに、前記自動取引装置へ貨幣取扱再開通知を送信する手段と、を備え、前記自動取引装置は、前記貨幣入出金機からの、前記貨幣取扱中止通知を受信したときに、貨幣の入出金を中止する手段と、前記貨幣入出金機からの、前記確定処理指令送信要求を受信する手段と、該確定処理指令送信要求の受信後に、前記貨幣入出金機へ前記確定処理指令を送信する手段と、該確定処理指令送信要求の受信後に、顧客との取引を終了したときに、前記貨幣入出金機へ前記取引終了通知を送信する手段と、前記貨幣入出金機からの、前記貨幣取扱再開通知を受信したときに、貨幣の入出金を再開する手段と、を備えることを特徴とする。
【発明の効果】
【０００６】
これにより、本発明は、自動取引装置の運用中に補充回収カセットが脱着された場合の確定処理を可能にして、その運用を停止せずに、ごく一部の顧客に対して硬貨または紙幣による入出金取引のみを中止して取引内容を縮退させるだけで、自動取引装置の通常の運用を再開することが可能になり、自動取引装置の稼動効率を向上させることができると共に、何らかの要因により自動取引装置から確定処理指令が送信されない場合においても、取引待ち時間に確定処理を開始することができ、確定処理が実行されないことによる自動取引装置の縮退運用の時間の長時間化を防止することができるという効果が得られる。
【発明を実施するための最良の形態】
【０００７】
以下に、図面を参照して本発明による貨幣処理制御システムの実施例について説明する。
【実施例１】
【０００８】
図１は実施例１の現金自動預払機を示すブロック図、図２は実施例１の硬貨入出金機を示すブロック図である。
図１において、１は自動取引装置としての現金自動預払機であり、銀行や郵政公社等の金融機関の支店や郵便局、コンビニエンスストア等の店舗に設置され、顧客との間での取引を自動で行う。
【０００９】
２は現金自動預払機１の主制御部であり、口座開設者である顧客の顧客ＩＤに対応させて顧客の口座の金融機関名、口座番号等の口座情報やその暗証番号、口座残高等の顧客情報を保有して顧客の口座を管理する図示しないホストコンピュータと、専用回線や電話回線等の図示しない通信回線を介して接続しており、現金自動預払機１内の各部を制御して取引処理等を実行すると共にデータ通信等も制御する。
【００１０】
３は主記憶部であり、主制御部２が実行するプログラムやそれに用いる各種のデータおよび主制御部２による処理結果等が格納される。
４は表示部であり、現金自動預払機１の前面に設けられた顧客操作部に設けられ、ＬＣＤ等の表示画面を備えており、取引選択画面や各種の入力画面、顧客の処置を促す画面等を表示する機能を有している。
【００１１】
５は現金自動預払機１の顧客操作部に設けられた入力部であり、表示部４の表面に設けられたタッチパネル等を備えており、顧客からの金額入力や、選択入力等の各種の入力を受付ける機能を有している。
６はカード取扱部であり、挿入された顧客のキャッシュカード等の取引カードの磁気ストライプやＩＣチップ等に記録されている口座情報等のカード情報を読取る機能、並びに明細票等に取引内容等を印刷して前面側に排出する機能、および伝票等に確定結果を印刷して背面側に排出する機能を有するプリンタ等を備えている。
【００１２】
７は通帳取扱部であり、挿入された顧客の通帳の磁気ストライプやＩＣチップ等に記録されている通帳情報を読み書きする機能を有すると共に、取引内容等を顧客の通帳に記帳する機能を有している。
８は係員操作部であり、現金自動預払機１の背面側に設けられ、ＬＣＤ等の表示画面とタッチパネル等の入力手段との組合せで構成されており、表示画面に係員が行う業務処理および取引モードの設定等の各種の設定等を行う業務選択画面を表示すると共に、入力手段により係員からの入力を受付ける機能を有している。
【００１３】
９は紙幣入出金機であり、入金取引時等に顧客が投入した紙幣を受入れ、これを鑑別および計数して紙幣収納庫に収納し、出金取引時等に紙幣収納庫から顧客に支払う紙幣を繰出し、これを計数して顧客に払出す機能を有している。
１０は貨幣入出金機としての硬貨入出金機であり、入金取引時等に顧客が投入した貨幣としての硬貨を受入れ、これを鑑別および計数して収納し、出金取引時等に顧客に支払う硬貨を繰出し、これを計数して顧客に払出す機能を有しており、図２に示す構成を備えている。
【００１４】
図２において、１１は硬貨入出金機１０の制御部であり、主制御部２からの指令により、硬貨入出金機１０の各部を制御して入金取引における硬貨の取込処理や収納処理、出金取引や現金による振込取引における硬貨の出金処理等の各種の硬貨処理を実行する。
１２は、硬貨入出金機１０の記憶部であり、制御部１１が実行するプログラムやそれに用いる各種のデータおよび制御部１１による処理結果等が格納される。
【００１５】
１３は硬貨の入出金口であり、入出金口１３を開閉するためのシャッタが設けられており、顧客が投入した硬貨を一括して受入れる機能等を有している。
１４は硬貨の分離部であり、入出金口１３に投入された硬貨、および後述する補充回収カセット２１から繰出された硬貨を受入れ、これを１枚ずつ分離して繰出す機能を有している。
【００１６】
１５は硬貨の鑑別部であり、分離部１４により１枚ずつに分離されて搬入された硬貨の真偽、正損、金種等を鑑別する機能を有している。
１６は硬貨の一時保留部であり、入出金口１３に投入され、鑑別部１５で鑑別された入金硬貨を金種別に集積して一時保留すると共に、一時保留していた入金硬貨を繰出す機能を有している。
【００１７】
１７は金種別硬貨収納庫であり、硬貨を循環使用するために入金された硬貨や補充された硬貨を金種別に収納するために複数設けられており、それぞれ収納する硬貨を集積する集積機構および出金する硬貨を繰出す繰出機構を備えている。
１８は硬貨のリジェクト口であり、鑑別部１５で偽硬貨や外国硬貨等と鑑別されたリジェクト硬貨や、変形硬貨、クリップ等の異物等が搬送されて集積され、集積されたリジェクト硬貨や異物を顧客に返却する機能を有している。
【００１８】
１９は一時待機部であり、後述する補充回収カセット２１に装填された硬貨の確定処理において、補充回収カセット２１に未確定の硬貨が残留しているときに、金種別硬貨収納庫１７に収納しきれなくなったオーバフロー硬貨を、補充回収カセット２１が空になるまでの間待機させる部位であって、本実施例では補充回収カセット２１へ回収する硬貨を搬送する回収搬送路が一時待機部１９として機能する。
【００１９】
なお、一時待機部１９は、集積機構および繰出機構を備えた収納庫であってもよい。
２０はカセット収容部であり、硬貨入出金機１０に設けられた補充回収カセット２１を着脱可能に収容する収容部であって、カセット収容部２０へ補充回収カセット２１を挿抜するときに開閉する扉の開閉を検出するリミットスイッチ等の開閉検出部２２、および補充回収カセット２１のカセット収容部２０への着脱を検出するリミットスイッチ等の着脱検出部２３等を備えている。
【００２０】
補充回収カセット２１は、硬貨入出金機１０のカセット収容部２０に着脱可能に装着され、装填されている硬貨を金種別硬貨収納庫１７へ補充し、金種別硬貨収納庫１７に収納されている硬貨を回収するときに硬貨の運搬に用いる金庫であって、硬貨を繰出す繰出機構および硬貨を収納する集積機構等を備えている。
また、補充回収カセット２１には、入金処理時や確定処理時のオーバフロー硬貨も収納される。
【００２１】
硬貨入出金機１０には、上記の他に、各部の間を、搬送ベルトやシュータ等により硬貨を搬送する硬貨搬送路が設けられ、これらの硬貨搬送路の分岐部には硬貨の搬送方向を振分ける硬貨振分機構が設けられている。
上記の現金自動預払機１の主記憶部３には、顧客が選択した取引の入力を受付け、これを基に図示しないホストコンピュータと交信して顧客との取引を自動で行う機能等を有する通常の取引処理プログラムに、取引の開始時や終了時に、硬貨入出金機１０の制御部１１へ取引開始通知や取引終了通知を送信する機能、補充回収カセット２１の装着時に、硬貨入出金機１０の制御部１１から送信される確定処理指令送信要求に応じて、制御部１１へ確定処理指令を送信する機能を有するアプリケーションプログラム等が追加された業務処理実行プログラムが予め格納されており、主制御部２が実行する業務処理実行プログラムのステップにより本実施例の現金自動預払機１のハードウェアとしての各機能手段が形成される。
【００２２】
硬貨入出金機１０の記憶部１２には、上位装置である現金自動預払機１の主制御部２からの指令により、硬貨の搬送や鑑別、一時保留部１６への取込、各金種別硬貨収納庫１７への収納、繰出等により取込処理や収納処理、出金処理等の硬貨処理を実行する硬貨処理プログラムに、補充回収カセット２１の取外しを検出したときに主制御部２へ、硬貨取扱中止通知を送信して硬貨の入出金を中止すると共に、補充回収カセット２１の装着を検出した後に、主制御部２からの確定処理指令または取引終了通知により、補充回収カセット２１内に装填されている確定前の硬貨（未確定硬貨という。）の確定を行い、確定処理中に主制御部２からの取引開始通知を受信したときに確定処理を一旦中断し、取引終了通知を受信したときに再開する機能を有する確定処理プログラムが追加された硬貨取扱プログラムが予め格納されており、制御部１１が実行する硬貨取扱プログラムのステップにより本実施例の硬貨入出金機１０のハードウェアとしての各機能手段が形成される。
【００２３】
また、記憶部１２には、各金種別硬貨収納庫１７に収納されている硬貨の枚数を金種別の計数する収納枚数計数エリアが金種別硬貨収納庫１７毎に確保されると共に、補充回収カセット２１に装填されていた硬貨の金種別の枚数を計数する装填硬貨枚数計数エリア、および確定処理後に補充回収カセット２１に収納された確定後の硬貨（確定硬貨という。）の枚数を金種別に計数するカセット収納枚数計数エリアが確保されている。
【００２４】
上記の現金自動預払機１と硬貨入出金機１０とにより、本実施例の硬貨処理制御システムが形成される。
以下に、図３に示すフローチャートを用い、Ｓで示すステップに従って本実施例の硬貨の確定処理について説明する。
金融機関の店舗の係員が、現金自動預払機１へ電源を投入すると、現金自動預払機１の主記憶部３に格納されている業務処理実行プログラム、および硬貨入出金機１０の記憶部１２に格納されている硬貨取扱プログラムが自動的に起動される。
【００２５】
業務処理実行プログラムが起動されると、現金自動預払機１の主制御部２は、表示部４の画面に、出金取引、入金取引、振込取引、残高照会取引、通帳記帳取引等の取引を選択するための取引選択ボタンを表示した取引選択画面を表示して待機し、顧客が取引選択ボタンにより、所望の取引を選択したときに、選択された取引の取引処理を実行する。この場合の取引処理の作動は通常の場合と同様であるのでその説明を省略する。
【００２６】
この取引処理のときに、主制御部２は、取引ボタンが押下されると、取引の種類に関らず、硬貨入出金機１０の制御部１１へ、取引を開始したことを通知する取引開始通知を送信し、その取引が終了すると取引終了通知を送信する。
また、入金取引や出金取引、現金による振込取引が選択され、硬貨の入出金が必要なときは、主制御部２は硬貨入出金機１０の制御部１１へ、硬貨の取込指令や収納指令、出金指令等を送信し、これを受信した制御部１１は、硬貨処理プログラムにより、受信した取込指令や収納指令、出金指令等の硬貨処理指令に基づいて硬貨処理を実行する。この場合の硬貨処理の作動は、通常の場合と同様であるのでその説明を省略する。
【００２７】
Ｓ１、硬貨入出金機１０の制御部１１は、硬貨取扱プログラムの硬貨処理プログラムにより硬貨処理を実行しながら、カセット収容部２０の着脱検出部２３からの補充回収カセット２１の取外しを検出した信号の検知を待って待機しており、取外検出信号を検知したときに、硬貨の取扱の中止を認識してステップＳ２へ移行する。取外検出信号を検知しない場合は前記の待機を継続する。
【００２８】
Ｓ２、硬貨の取扱の中止を認識した制御部１１は、確定処理プログラムにより、現金自動預払機１の主制御部２へ、硬貨の取扱の中止する旨を記した硬貨取扱中止通知を送信する。
硬貨取扱中止通知を受信した主制御部１１は、取引選択画面に、硬貨の入出金を中止している旨、および現在は紙幣のみによる取引と取引カードを用いた取引が可能である旨の文言を追加表示して、顧客との硬貨を用いた入出金取引を中止し、現金自動預払機１による取引内容を一旦縮退させる。
【００２９】
Ｓ３、硬貨取扱中止通知を送信した制御部１１は、カセット収容部２０の着脱検出部２３からの補充回収カセット２１の装着を検出した信号の検知を待って待機しており、装着検出信号を検知したときに、開閉検出部２２からの扉の閉作動信号を確認し、補充回収カセット２１の装着の終了を認識してステップＳ４へ移行する。装着検出信号を検知しない場合は前記の待機を継続する。
【００３０】
Ｓ４、補充回収カセット２１の装着の終了を認識した制御部１１は、補充回収カセット２１内の硬貨の確定処理を実行するための確定処理指令の送信を要求する旨を記した確定処理指令送信要求を主制御部２へ送信する。
確定処理指令送信要求を受信した主制御部２は、顧客との取引を行っているときは、制御部１１への確定処理指令の送信を保留し、取引が行われていない取引待ち時間を認識したときに、制御部１１へ確定処理指令を送信する。
【００３１】
Ｓ５、確定処理指令送信要求を送信した制御部１１は、主制御部２からの確定処理指令の着信を待って待機しており、確定処理指令を受信したときに、確定処理の実行を認識してステップＳ７へ移行する。確定処理指令を受信しない場合はステップＳ６へ移行する。
Ｓ６、制御部１１は、主制御部２からの取引終了通知の着信を待って待機しており、取引終了通知を受信したときに、確定処理の実行を認識してステップＳ７へ移行する。取引終了通知を受信しない場合は、ステップＳ５、Ｓ６による待機を継続する。
【００３２】
Ｓ７、確定処理の実行を認識した制御部１１は、確定処理の実行を開始する。
すなわち、確定処理を開始した制御部１１は、補充回収カセット２１に装填されている未確定硬貨を繰出して分離部１４へ搬送し、分離部１４により１枚ずつに分離された硬貨を鑑別部１５へ搬送してその金種等を鑑別し、鑑別により金種が確定された確定硬貨を鑑別結果に応じて金種別硬貨収納庫１７へ収納する。
【００３３】
この場合に、いずれかの金種別硬貨収納庫１７が満杯になってオーバフロー硬貨が発生したときはその確定されたオーバフロー硬貨を、補充回収カセット２１に搬送して収納する。
なお、補充回収カセット２１に未確定硬貨が残留しているときは、そのオーバフロー硬貨を補充回収カセット２１への回収搬送路である一時待機部１９に一時待機させる。
【００３４】
そして、補充回収カセット２１の未確定硬貨が全て繰出されて空になったときに、一時待機させていた一時待機部１９のオーバフロー硬貨を補充回収カセット２１へ搬送して収納する。
このとき、制御部１１は鑑別部１５による鑑別結果に基づいて、確定硬貨を金種別硬貨収納庫１７へ搬送して収納したときは、記憶部１２の当該金種別硬貨収納庫１７の収納枚数計数エリアのカウント数に「１」を加えて当該金種別硬貨収納庫１７の収納枚数を更新し、オーバフロー硬貨が発生したときは、記憶部１２のカセット収納枚数計数エリアの当該金種のカウント数に「１」を加えて補充回収カセット２１の当該金種の収納枚数を更新する。
【００３５】
また、補充回収カセット２１に装填されていた硬貨を１枚鑑別する度に、記憶部１２の装填硬貨枚数計数エリアの当該金種のカウント数に「１」を加えて補充回収カセット２１に装填されていた硬貨の金種別の枚数を計数する。
Ｓ８、ステップＳ７で説明した確定処理を実行しながら、制御部１１は、主制御部２からの取引開始通知の着信を待って待機しており、取引開始通知を受信したときに、確定処理の中断を認識してステップＳ１０へ移行する。取引開始通知を受信しない場合はステップＳ９へ移行する。
【００３６】
Ｓ９、制御部１１は、金種別収納庫１７、または補充回収カセット２１（一時待機部１９を含む。）へ確定硬貨を収納しながら最後の確定硬貨の収納を待って待機しており、収納した硬貨が最後の確定硬貨のときに、確定処理の終了を認識してステップＳ１４へ移行する。
収納した硬貨が最後の確定硬貨ではない場合は、ステップＳ８へ戻って、確定処理を実行しながら、ステップＳ８、Ｓ９による待機を継続する。
【００３７】
Ｓ１０、確定処理中に、取引開始通知を受信したことにより確定処理の中断を認識した制御部１１は、実行中の確定処理を一旦中止してステップＳ１１へ移行する。
Ｓ１１、確定処理を中断した制御部１１は、主制御部２からの取引終了通知の着信を待って待機しており、取引終了通知を受信したときにステップＳ１２へ移行する。取引終了通知を受信しない場合は、前記の待機を継続する。
【００３８】
Ｓ１２、確定処理の中断中に、取引終了通知を受信した制御部１１は、確定処理の再開を認識し、中断していた確定処理を再開させ、ステップＳ９により再開後の最初の硬貨が最後の硬貨でないことを認識した後にステップＳ８へ戻り、確定処理を実行しながら、ステップＳ８、Ｓ９による待機を継続する。
Ｓ１３、確定処理の終了を認識した制御部１１は、記憶部１２のカセット収納枚数計数エリアに記録されている補充回収カセット２１へ収納した確定硬貨の金種別の収納枚数、および装填硬貨枚数計数エリアに記録されている補充回収カセット２１に装填されていた硬貨の金種別の枚数の計数結果を読出し、これらの確定結果と、硬貨の取扱の再開が可能になった旨とを記した硬貨取扱再開通知を主制御部２へ送信し、ステップＳ１へ戻って補充回収カセット２１の取外検出信号の検知を待って待機する。
【００３９】
一方、硬貨取扱再開通知を受信した主制御部２は、取引選択画面に表示していた硬貨の入出金を中止している旨の文言等の表示を消去して、顧客との硬貨を用いた入出金取引を再開、つまり一旦縮退させていた取引を再開させて通常の運用に切り替えると共に、硬貨取扱再開通知の確定結果を基に印刷データを生成し、これをカード取扱部６へ送り、伝票に印刷して現金自動預払機１の背面側から排出する。
【００４０】
このようにして、本実施例の硬貨の確定処理が実行される。
上記のように、本実施例の貨幣処理制御システムにおいては、現金自動預払機１の運用中に硬貨搬送におけるジャムが発生し、係員が点検のために補充回収カセット２１を取外し、点検後に再装着した場合や、運用中に補充回収カセット２１内の硬貨が不足し、金種別硬貨収納庫１７への硬貨の補充ができなくなって新たな補充回収カセット２１による硬貨の補充が必要になった場合等の現金自動預払機１の運用中における補充回収カセット２１の着脱時に、硬貨入出金機１０の制御部１１が硬貨の取扱を中止させるための硬貨取扱中止通知を主制御部２へ送信して硬貨の取扱を一時中止させ、取引待ち時間に確定処理を実行して、確定処理後に硬貨の取扱を再開させるので、現金自動預払機１の運用中に、補充回収カセット２１が脱着された場合の確定処理を可能にして、現金処理装置１の運用を停止せずに、ごく一部の顧客に対して硬貨による入出金取引を中止して紙幣または取引カードによる取引に縮退させるだけで、通常の現金自動預払機１の運用を再開することが可能になり、現金自動預払機１の稼動効率を向上させることができる。
【００４１】
また、確定処理指令送信要求後に、取引終了通知を受信したときは、確定処理を実行するので、何らかの要因（現金自動預払機１の業務処理実行プログラムのバグを含む。）により主制御部２から確定処理指令が送信されない場合においても、取引待ち時間に確定処理を開始することができ、確定処理が実行されないことによる現金自動預払機１の縮退運用の時間の長時間化を防止して、硬貨の取扱を中止する縮退運用の時間を短縮することができる。
【００４２】
更に、確定処理中に、何らかの取引が開始されたことを通知する取引開始通知を受信したときに、確定処理を中断させるので、取引選択ボタンの押下後に行われる顧客による取引カードの挿入や暗証番号の入力等の顧客の操作時間を利用して確定処理を中断させることが可能になり、中断のための処理に要する時間を確保して顧客との取引を円滑に行うことができる。
【００４３】
以上説明したように、本実施例では、硬貨入出金機に、補充回収カセットの着脱を検出する着脱検出部を設け、着脱検出部により補充回収カセットの取外しを検出したときに、現金自動預払機へ硬貨取扱中止通知を送信して硬貨の入出金を中止させ、着脱検出部により補充回収カセットの装着を検出したときに現金自動預払機へ確定処理指令送信要求を送信し、現金自動預払機から確定処理指令、または取引終了通知を受信したときに、補充回収カセット内の硬貨の確定処理を実行し、確定処理を終了したときに現金自動預払機へ硬貨取扱再開通知を送信して硬貨の入出金を再開させるようにしたことによって、現金自動預払機の運用中に補充回収カセットが脱着された場合の確定処理を可能にして、その運用を停止せずに、ごく一部の顧客に対して硬貨による入出金取引のみを中止して取引内容を縮退させるだけで、現金自動預払機の通常の運用を再開することが可能になり、現金自動預払機の稼動効率を向上させることができると共に、何らかの要因により現金自動預払機から確定処理指令が送信されない場合においても、取引待ち時間に確定処理を開始することができ、確定処理が実行されないことによる現金自動預払機の縮退運用の時間の長時間化を防止して縮退運用の時間の短縮を図ることができる。
【００４４】
また、確定処理中に、現金自動預払機からの取引開始通知を受信したときに確定処理を中断し、この中断中に現金自動預払機からの取引終了通知を受信したときに確定処理を再開するようにしたことによって、取引選択ボタンの押下後の顧客の操作時間を利用して確定処理を中断させることが可能になり、中断のための処理に要する時間を確保して顧客との取引を円滑に行うことができる。
【実施例２】
【００４５】
図４は実施例２の確定処理を示すフローチャートである。
なお、上記実施例１と同様の部分は、同一の符号を付してその説明を省略する。
本実施例の現金自動預払機１の主記憶部３には、上記実施例１と同様の取引処理プログラムに、実施例１と同様のアプリケーションプログラム等が追加された業務処理実行プログラムが予め格納されており、主制御部２が実行する業務処理実行プログラムのステップにより本実施例の現金自動預払機１のハードウェアとしての各機能手段が形成される。
【００４６】
硬貨入出金機１０の記憶部１２には、実施例１と同様の硬貨処理プログラムに、補充回収カセット２１の装着を検出した後に、主制御部２からの確定処理指令または取引終了通知により、補充回収カセット２１内に装填されている未確定硬貨の確定を行い、確定処理中に主制御部２からの取引開始通知を受信したときに確定処理を一旦中断し、取引終了通知を受信したときに再開する機能、および確定処理の中断中に主制御部２からの取込指令等の硬貨処理指令を受信したときに、先に確定処理を終了させ、その後に受信した硬貨処理指令により硬貨処理行う機能を有する確定処理プログラムが追加された硬貨取扱プログラムが予め格納されており、制御部１１が実行する硬貨取扱プログラムのステップにより本実施例の硬貨入出金機１０のハードウェアとしての各機能手段が形成される。
【００４７】
また、記憶部１２には、実施例１と同様の収納枚数計数エリア、装填硬貨枚数計数エリア、およびカセット収納枚数計数エリアが確保されている。
上記の現金自動預払機１と硬貨入出金機１０とにより、本実施例の硬貨処理制御システムが形成される。
以下に、図４に示すフローチャートを用い、ＳＡで示すステップに従って本実施例の硬貨の確定処理について説明する。
【００４８】
金融機関の店舗の係員が、現金自動預払機１へ電源を投入すると、現金自動預払機１の主記憶部３に格納されている業務処理実行プログラム、および硬貨入出金機１０の記憶部１２に格納されている硬貨取扱プログラムが自動的に起動される。
業務処理実行プログラムが起動されると、現金自動預払機１の主制御部２は、実施例１と同様にして、表示部４の画面に取引選択画面を表示して待機し、取引選択ボタンの押下により顧客が選択した取引の取引処理を実行する。
【００４９】
この取引処理のときに、主制御部２は、実施例１と同様に、取引の種類に関らず、取引開始通知や取引終了通知を送信すると共に、入金取引や出金取引、現金による振込取引が選択され、硬貨の入出金が必要なときに、主制御部２は、硬貨の取込指令や収納指令、出金指令等の硬貨処理指令を送信し、これを受信した制御部１１は、硬貨処理プログラムにより、受信した硬貨処理指令に基づいて硬貨処理を実行する。
【００５０】
ＳＡ１、硬貨入出金機１０の制御部１１は、硬貨取扱プログラムの硬貨処理プログラムにより硬貨処理を実行しながら、カセット収容部２０の着脱検出部２３からの補充回収カセット２１の装着を検出した信号の検知を待って待機しており、装着検出信号を検知したときに、開閉検出部２２からの扉の閉作動信号を確認し、補充回収カセット２１の装着の終了を認識してステップＳＡ２へ移行する。装着検出信号を検知しない場合は前記の待機を継続する。
【００５１】
その後のステップＳＡ２〜ＳＡ８の作動は、上記実施例１のステップＳ４〜Ｓ１０の作動と同様であるので、その説明を省略する。
従って、本実施例では、現金自動預払機１の縮退運用は行われない。
ＳＡ９、確定処理を中断した制御部１１は、主制御部２からの硬貨処理指令（入金取引における取込指令、出金取引や現金による振込取引における出金指令等）の着信を待って待機しており、硬貨処理指令を受信したときにステップＳＡ１３へ移行する。硬貨処理指令を受信しない場合は、ステップＳＡ１０へ移行する。
【００５２】
ＳＡ１０、制御部１１は、主制御部２からの取引終了通知の着信を待って待機しており、取引終了通知を受信したときにステップＳＡ１１へ移行する。取引終了通知を受信しない場合は、ステップＳＡ９、ＳＡ１０による待機を継続する。
ＳＡ１１、確定処理の中断中に、取引終了通知を受信した制御部１１は、確定処理の再開を認識し、中断していた確定処理を再開させ、ステップＳＡ７により再開後の最初の硬貨が最後の硬貨でないことを認識した後にステップＳＡ６へ戻り、確定処理を実行しながら、ステップＳＡ６、ＳＡ７による待機を継続する。
【００５３】
ＳＡ１２、確定処理の終了を認識した制御部１１は、実施例１のステップＳ１３と同様にして、記憶部１２から確定結果を読出し、この確定結果と、確定処理が終了した旨とを記した確定処理終了通知を主制御部２へ送信し、ステップＳＡ１へ戻って補充回収カセット２１の装着検出信号の検知を待って待機する。
一方、確定処理終了通知を受信した主制御部２は、確定処理終了通知の確定結果を基に印刷データを生成し、これをカード取扱部６へ送り、伝票に印刷して現金自動預払機１の背面側から排出する。
【００５４】
ＳＡ１３、確定処理の中断中に、硬貨処理指令を受信した制御部１１は、確定処理の再開を認識し、中断していた確定処理を再開させる。
ＳＡ１４、制御部１１は、実施例１のステップＳ９と同様にして、最後の確定硬貨の収納を待って待機しており、収納した硬貨が最後の確定硬貨のときに、確定処理の終了を認識してステップＳＡ１５へ移行する。
【００５５】
収納した硬貨が最後の確定硬貨ではない場合は、確定処理を実行しながら前記の待機を継続する。
ＳＡ１５、確定処理の終了を認識した制御部１１は、上記ステップＳＡ１２と同様にして、確定処理終了通知を主制御部２へ送信し、ステップＳＡ１７へ移行する。
一方、顧客との取引中に、確定処理終了通知を受信した主制御部２は、確定処理終了通知の確定結果を基に印刷データを生成し、これをカード取扱部６へ送り、伝票に印刷して現金自動預払機１の背面側から排出する。
【００５６】
ＳＡ１６、確定処理の終了を認識した制御部１１は、上記ステップＳＡ９で受信した硬貨処理指令に基づいて、当該硬貨処理を実行する。
なお、本ステップにおける硬貨処理の作動、およびその後の主制御部２との交信の作動は、通常の場合と同様であるのでその説明を省略する。
このようにして、本実施例の硬貨の確定処理が実行される。
【００５７】
上記のように、本実施例の貨幣処理制御システムにおいては、上記実施例１と同様の作動に加えて、硬貨を取扱う入金取引や出金取引、現金による振込取引等のときに、主制御部２から送信される入金硬貨の取込指令や、顧客に払出す出金硬貨や釣銭の出金指令等の硬貨処理指令を受信した場合に、中断中の確定処理を再開させ、これを先に終了させた後に、硬貨処理指令に基づく硬貨処理を実行するので、現金自動預払機１の通常の運用中に、補充回収カセット２１が脱着された場合の確定処理を可能にして、現金処理装置１の取引内容を縮退させずに、通常の運用を継続させることができ、現金自動預払機１の稼動効率を更に向上させることができる。
【００５８】
また、何らかの要因により主制御部２から確定処理指令が送信されない場合においても、現金処理装置１の取引内容を縮退させずに、通常の運用を継続させることができ、硬貨の取扱を中止する事態を回避することができ、顧客との取引を更に円滑に行うことができる。
更に、確定処理の中断中に、硬貨処理指令を受信したときは、確定処理を先に実行し、これに引き続いて硬貨処理を実行するので、予期せぬときに生じる硬貨の搬送や収納における作動音により顧客に不信感や不快感を与えることなく、確定処理を先に実行することができる。
【００５９】
以上説明したように、本実施例では、硬貨入出金機に、補充回収カセットの着脱を検出する着脱検出部を設け、着脱検出部により補充回収カセットの装着を検出したときに現金自動預払機へ確定処理指令送信要求を送信し、現金自動預払機から確定処理指令を受信したときに、補充回収カセット内の硬貨の確定処理を実行し、確定処理中に、現金自動預払機から取引開始通知を受信したときに中断させた確定処理を、現金自動預払機から硬貨処理指令を受信したときに再開させ、この再開させた確定処理の終了後に、受信した硬貨処理指令による硬貨処理を実行するようにしたことによって、現金自動預払機の通常の運用中に、補充回収カセットが脱着された場合の確定処理を可能にして、現金処理装置の取引内容を縮退させずに、通常の運用を継続させることができ、現金自動預払機の稼動効率を更に向上させることができると共に、硬貨処理の作動音により顧客に不信感や不快感を与えることなく、確定処理を実行することができる。
【００６０】
なお、上記各実施例においては、貨幣として硬貨を取扱う硬貨入出金機を貨幣入出金機として説明したが、貨幣入出金機は、貨幣としての紙幣を取扱う紙幣入出金機であってもよい。この場合に一時待機部は紙幣の集積および繰出しが可能な収納庫にするとよい。
また、上記各実施例においては、自動取引装置は現金自動預払機であるとして説明したが、自動取引装置は前記に限らず、発券機や両替機等であってもよい。要は顧客との間で硬貨や紙幣を用いた取引を自動で行うものであればどのような自動取引装置に適用しても本発明と同様の効果を得ることができる。
【図面の簡単な説明】
【００６１】
【図１】実施例１の現金自動預払機を示すブロック図
【図２】実施例１の硬貨入出金機を示すブロック図
【図３】実施例１の確定処理を示すフローチャート
【図４】実施例２の確定処理を示すフローチャート
【符号の説明】
【００６２】
１    現金自動預払機
２    主制御部
３    主記憶部
４    表示部
５    入力部
６    カード取扱部
７    通帳取扱部
８    係員操作部
９    紙幣入出金機
１０  硬貨入出金機
１１  制御部
１２  記憶部
１３  入出金口
１４  分離部
１５  鑑別部
１６  一時保留部
１７  金種別硬貨収納庫
１８  リジェクト口
１９  一時待機部
２０  カセット収容部
２１  補充回収カセット
２２  開閉検出部
２３  着脱検出部
【図１】
2008217595.tif 000003
【図２】
2008217595.tif 000004
【図３】
2008217595.tif 000005
【図４】
2008217595.tif 000006